(57)【要約】【課題】カゴに堆積したゴミを捨てる際において、落下するゴミが指に付着することがなく、また、カゴとゴミが直接接する面積を小さくすることでカゴの表面にゴミが付着したまま残ってしまうことを防止し、更に、持ち替えを不要とできる新規な構造を提案する。【解決手段】蓋板部５２と、前記蓋板５２で仕切る上下空間を連通させる開口５０と、前記開口５０に連続的に通じる略円弧状の流路５７と、を有する排水口蓋５であって、前記開口５０は、その上下方向の縦幅ｈが、半径方向中心から半径方向外側に向かうに従って拡大され、蓋板５２の半径寸法Ｒの中心点Ｒｃよりも半径方向外側において最大縦幅Ｈを構成し、前記流路５７は、流路５７の終了端側５６ｂの幅が、流路５７の開始端側５６ａの幅よりも広く構成され、流路の流路５７の終了端側５６ｂの深さが、開始端側５６ａの深さよりも深く構成されることとする。【選択図】図１
2010037823.tif 000002
【特許請求の範囲】
【請求項１】
蓋板と、
前記蓋板で仕切る上下空間を連通させる開口と、
前記開口に連続的に通じる略円弧状の流路と、
を有する排水口蓋。
【請求項２】
前記開口は、その上下方向の縦幅が、前記蓋板の中心から外側に向かうに従って拡大され、前記蓋板の中心から外縁部までの中心点よりも外縁部側において最大縦幅を構成する、
ことを特徴とする請求項１に記載の排水口蓋。
【請求項３】
蓋板と、
前記蓋板で仕切る上下空間を連通させる開口と、
前記開口に連続的に通じる略円弧状の流路と、
を有する排水口蓋と、
前記排水口蓋の下方に設けられる略逆円錐形状のカゴと、を有する、排水口の構造。
【請求項４】
前記開口は、その上下方向の縦幅が、前記蓋板の中心から外側に向かうに従って拡大され、前記蓋板の中心から外縁部までの中心点よりも外縁部側において最大縦幅を構成する、
ことを特徴とする請求項３に記載の排水口の構造。
【請求項５】
前記カゴの周状端部に、上方へ突出する把手部が設けられる、
ことを特徴とする請求項３又は請求項４に記載の排水口の構造。
【請求項６】
前記カゴの周状端部は、
略逆円錐形状のカゴ部材の周状端部を、縁部材にて被覆することで構成される、
ことを特徴とする請求項５に記載の排水口の構造。
【請求項７】
前記縁部材の内側面は、前記カゴ部材の傾斜面の勾配と略同一であって、前記傾斜面と一連の連続的な傾斜面を構成する、
ことを特徴とする請求項６に記載の排水口の構造。
【請求項８】
前記一連の連続的な傾斜面は、前記カゴ部材の周状端部を、前記カゴ部材の傾斜面よりも外側へずらすことで構成される、
ことを特徴とする請求項７に記載の排水口の構造。
【請求項９】
前記カゴを収容する排水口本体を具備し、
前記排水口本体の内側には、前記縁部材の外側面と略同一の勾配を有する傾斜載置面が形成され、
前記傾斜載置面に前記縁部材の外側面が載置される構成とする、
ことを特徴とする請求項６乃至請求項８のいずれか一項に記載の排水口の構造。
【請求項１０】
前記排水口本体の底部の流出口には、根菜キャッチャーが備えられ、
前記根菜キャッチャーは、複数のフィンが放射状に配置され、
前記各フィンの間に開口が形成される、
ことを特徴とする請求項９に記載の排水口の構造。
【発明の詳細な説明】
【技術分野】
【０００１】
本発明は、キッチンのシンクなどの底部に配置される排水口の構造に関する。
【背景技術】
【０００２】
従来、キッチンのシンクなどの底部には、排水口が設けられており、この排水口にカゴと排水口蓋を備えた構成は周知となっている（例えば、特許文献１参照）。
【０００３】
特許文献１に開示されるように、一般的な構成として、排水口蓋には、開口が形成されており、この開口から水を流入させることとしてシンクなどの底部の水を排水することとしている。また、水とともに排水口蓋の開口から流入されるゴミはカゴにて捕捉される。
【０００４】
図１２（ａ）は、従来の構造の一例について示すものである。カゴ１００が排水口１０４に脱着可能に設置されており、このカゴ１００の上に排水口蓋９０が脱着可能に設置されるものとしている。また、カゴ１００においては、底面１０１の広い範囲を覆うように、ゴミ１０２が堆積された状態となっている。また、図１２（ａ）に示すように、略水平の底面１０１を有するカゴ１００のほか、図１２（ｂ）に示すように、ボール形状（半球形状）のカゴ１１０の構成も知られている。図１２（ｂ）に示すボール形状のカゴ１１０においても、その壁面１１１の内側の広い範囲を覆うようにゴミ１１２が堆積するようになっている。
【０００５】
また、図１２（ａ）に示すごとく、カゴ１００の上部には、円環状の縁部１０３が水平方向に設けられており、この縁部１０３を排水口１０４の段付面部１０５に載置するようにしてカゴ１００が設置されるようになっている。また、縁部１０３からカゴ１００の内側に向かって把持部１０６が突設されており、この把持部１０６を指１０７で摘むことで、カゴ１００を排水口１０４から上方に取り出すことができるようになっている。
【特許文献１】特開２００１−２０３４１号公報
【発明の開示】
【発明が解決しようとする課題】
【０００６】
以上に述べた従来技術では、例えば、図１２（ａ）のような構造の場合、カゴ１００の底面１０１のゴミを受ける表面の面積が広く、その広い範囲にゴミ１０２が堆積してしまうため、図１２（ｃ）に示すごとく、カゴ１００を裏返してゴミ１０２を捨てる際に、カゴ１００の表面のうち、側面１０８の部位にゴミが付着したまま残ってしまったり、カゴ１００の中心部から遠い部位１００ａにあるゴミ１０２が落下して、指１０７に付着してしまうことになる。このことは、図１２（ｂ）に示す、ボール形状のカゴ１１０においても同様である。
【０００７】
そこで、図１２（ｄ）のように、縁部１０３を指１０７でつまんでカゴ１００を持ち替えてゴミ１０２を落下させることも考えられるが、縁部１０３は水平方向に設けられているため、その上面１０３ａに滞留した水やゴミによって細菌などが発生、付着しやすいこととなっており、ヌメリが発生しやすいこととなっている。また、図１２（ａ）のように、縁部１０３の下面１０３ｂにおいても、排水口１０４の段付面部１０５との間の狭い隙間に水やゴミが入り込んで停滞するため、特にヌメリが発生しやすいものとなっている。このようなことから、指１０７で縁部１０３をつまむ際には、ヌメリによって不快感を与えてしまうことになる。
【０００８】
本発明は、以上の問題に鑑み、カゴに堆積したゴミを捨てる際において、落下するゴミが指に付着することがなく、また、カゴとゴミが直接接する面積を小さくすることでカゴの表面にゴミが付着したまま残ってしまうことを防止し、更に、持ち替えを不要とできる、排水口蓋、カゴ、及び、排水口の構造について、新規な構造を提案するものである。
【課題を解決するための手段】
【０００９】
本発明の解決しようとする課題は以上の如くであり、次にこの課題を解決するための手段を説明する。
【００１０】
即ち、請求項１に記載のごとく、
蓋板と、
前記蓋板で仕切る上下空間を連通させる開口と、
前記開口に連続的に通じる略円弧状の流路と、
を有する排水口蓋とするものである。
【００１１】
また、請求項２に記載のごとく、
前記開口は、その上下方向の縦幅が、前記蓋板の中心から外側に向かうに従って拡大され、前記蓋板の中心から外縁部までの中心点よりも外縁部側において最大縦幅を構成する、こととするものである。
【００１２】
また、請求項３に記載のごとく、
前記蓋板で仕切る上下空間を連通させる開口と、
前記開口に連続的に通じる略円弧状の流路と、
を有する排水口蓋と、
前記排水口蓋の下方に設けられる略逆円錐形状のカゴと、を有する、排水口の構造とするものである。
【００１３】
また、請求項４に記載のごとく、
前記開口は、その上下方向の縦幅が、前記蓋板の中心から外側に向かうに従って拡大され、前記蓋板の中心から外縁部までの中心点よりも外縁部側において最大縦幅を構成する、こととするものである。
【００１４】
また、請求項５に記載のごとく、
前記カゴの周状端部に、上方へ突出する把手部が設けられる、こととするものである。
【００１５】
また、請求項６に記載のごとく、
前記カゴの周状端部は、
略逆円錐形状のカゴ部材の周状端部を、縁部材にて被覆することで構成される、こととするものである。
【００１６】
また、請求項７に記載のごとく、
前記縁部材の内側面は、前記カゴ部材の傾斜面の勾配と略同一であって、前記傾斜面と一連の連続的な傾斜面を構成する、こととするものである。
【００１７】
また、請求項８に記載のごとく、
前記一連の連続的な傾斜面は、前記カゴ部材の周状端部を、前記カゴ部材の傾斜面よりも外側へずらすことで構成される、こととするものである。
【００１８】
また、請求項９に記載のごとく、
前記カゴを収容する排水口本体を具備し、
前記排水口本体の内側には、前記縁部材の外側面と略同一の勾配を有する傾斜載置面が形成され、
前記傾斜載置面に前記縁部材の外側面が載置される構成とする、こととするものである。
【００１９】
また、請求項１０に記載のごとく、
前記排水口本体の底部の流出口には、根菜キャッチャーが備えられ、
前記根菜キャッチャーは、複数のフィンが放射状に配置され、
前記各フィンの間に開口が形成されることとするものである。
【発明の効果】
【００２０】
本発明の効果として、以下に示すような効果を奏する。
【００２１】
即ち、請求項１に記載の発明においては、
開口へ案内される水について、渦流を確実に発生させることが可能となる。そして、開口から流入された水については、カゴの表面上においても、周方向に回転するように渦流を発生させることになるため、カゴの底の中心にゴミを集まりやすくすることができる。
【００２２】
また、請求項２に記載の発明においては、
排水口蓋の上を流れる水によって形成される渦流について、その渦半径を大きく確保することができる。
【００２３】
また、請求項３に記載の発明においては、
排水口蓋の上を流れる水によって形成される渦流、及び、カゴの表面を流れる水によって形成される渦流により、蓋板やカゴの表面に付着する細菌やヌメリを剥離させて除去することや、カゴにおいて、より確実にゴミを中心に集めることが可能となる。
【００２４】
また、請求項４に記載の発明においては、
排水口蓋の上を流れる水によって形成される渦流について、その渦半径を大きく確保することができる。
【００２５】
また、請求項５に記載の発明においては、
指で摘まれる把持部から遠い位置となるカゴの底の中心にゴミが集まっているため、カゴを裏返す際に指にゴミが付着することが無く、把持部を持ち替える必要もない。
【００２６】
また、請求項６に記載の発明においては、
縁部材により、カゴ部材の補強、及び、カゴ部材の周状端部をカバーすることによる手の保護を行うことができる。
【００２７】
また、請求項７に記載の発明においては、
カゴ部材と縁部材の境界部にゴミが挟まって残ってしまうことや、この境界部において目詰まりが発生することを防止できる。
【００２８】
また、請求項８に記載の発明においては、
境界部において、段差が殆ど無い一連の傾斜面を構成することができる。
【００２９】
また、請求項９に記載の発明においては、
縁部材の外側面と排水口本体の傾斜載置面は、圧着された状態となるため、外側面と傾斜載置面の間に水やゴミが浸入し難くなるとともに、仮に、浸入したとしても、下方に向かって流れ落ちることになるため、細菌の繁殖が抑制され、ヌメリの発生を防止することができる。
【００３０】
また、請求項１０に記載の発明においては、
根菜キャッチャーにおいて渦流を発生させることが可能となり、カゴに生じる渦流、及び、排水口蓋に生じる渦流をより確実に発生させることが可能となる。
【発明を実施するための最良の形態】
【００３１】
次に、発明の実施の形態を説明する。
図１は、本発明の一実施形態に係る排水口の構造１について示すものであり、この構造１は、椀形状の排水口本体２と、排水口本体２の流出口２１に装着される根菜キャッチャー３と、カゴ４と、排水口蓋５を具備して構成されている。
【００３２】
また、図１に示すごとく、排水口本体２は、流出口２１が形成される底部２２を有する有底の容器形状に構成されている。また、排水口本体２は、樹脂製の外装容器部２３の内側に、ステンレス製の内装容器部２４を被せてなる二重構造に構成されている。
【００３３】
また、図１に示すごとく、根菜キャッチャー３は、円環３１内に複数のフィン３２・３２を放射状に配置して構成される円盤状の部材であり、排水口本体２の流出口２１を上から塞ぐようにして設置される。この根菜キャッチャー３により、大きなゴミなどが流出口２１を通過して、図示せぬ配水管を詰らせる不具合を防止できるようになっている。なお、この流出口２１は、排水口本体２の底部２２に設けられるほか、排水口本体２の側部（側面）に設けられる場合もある。
【００３４】
また、図１に示すごとく、カゴ４は、略逆円錐形状に構成されるカゴ部材４１の周状の縁部を、板状の縁部材４２によって包囲してなる構成としており、カゴ部材４１の円錐の頂部が下側に配置されるようにして、前記排水口蓋５の下方となる位置において排水口本体２内に収容される。また、縁部材４２には、指で摘んでカゴ４を持ち上げるための把持部４３が設けられている。また、カゴ部材４１は、例えば、ステンレス製のパンチングメタルを成型して構成することや、樹脂製の網部材にて構成することができる。
【００３５】
また、図１に示すごとく、排水口蓋５は、複数箇所に開口５０・５０が開口される円盤状の部材に構成されており、排水口本体２の上部の開口を塞ぐように設置される。この排水口蓋５の開口５０・５０から水が流入し、水とともに流入したゴミは、カゴ４に捕捉される。また、カゴ４を通過した水は、排水口本体２の流出口２１から図示せぬ配水管へと導かれるようになっている。
【００３６】
次に、図２及び図３に示す排水口蓋５について説明する。
排水口蓋５は、平面視略円形の蓋板５２を有しており、この蓋板５２の縁部から下方に向かう縦壁部５１を円環状に有している。また、蓋板５２には、三箇所に開口５０・５０・５０が設けられており、各開口５０によって蓋板５２で仕切られる上下空間が連通されるようになっている。
【００３７】
また、図２及び図３に示すごとく、蓋板５２において、半径方向に線状の切込み部５３を形成するとともに、この切込み部５３から周方向に向かう部位を構成する流路面構成部５４が下方に膨出されることで、開口５０が形成されるようになっている。そして、この構成により、流路面構成部５４の上に水が流れ、開口５０内へと流入される流路５７が形成される。図２に示す実施形態では、合計三箇所に切込み部５３が形成され、合計三箇所に開口５０が形成されるようになっている。なお、この排水口蓋５は、ステンレスなどの金属板材をプレス加工することや、溶融樹脂を成形加工することなどにより構成することができる。また、開口５０の数についても、本実施形態においては三箇所としたが、これをもって、開口５０の数を限定しているものではない。
【００３８】
また、図３に示すごとく、流路面構成部５４は、蓋板５２の中心５Ｃから半径方向外側に向かうに従って蓋板５２の上面５２ａから離れるように屈曲され、これにより、開口５０の縦幅ｈが半径方向外側に向かうに従って拡大されるようになっている。そして、縦幅ｈは、蓋板５２の半径寸法Ｒの中心点Ｒｃよりも半径方向外側において最大縦幅Ｈを構成する。また、この最大縦幅Ｈよりも半径方向外側においては、流路面構成部５４は上方に屈曲されて蓋板５２の上面５２ａに到達する。また、このような開口５０の形状により、開口５０は、上下方向、若しくは、上下斜め方向に開口されることになる。仮に、水平方向に開口されると、スプーンなどの物が開口に入りやすくなってしまうが、上下方向、若しくは、上下斜め方向に開口されることにより、蓋板５２の上面５２ａの表面積を広く確保することができることになるため、このような不具合を防止することができる。
【００３９】
また、図２に示すごとく、本実施形態においては、三箇所に開口５０が形成されており、三箇所に流路５７が形成されるようになっている。また、流路面構成部５４と蓋板５２の上面５２ａの間に各開口５０が形成されており、流路面構成部５４の上面５２ａからの深さは、時計周り方向に向かうに従って減少し、流路面構成部５４の底面がそのまま上面５２ａに連続的に繋がるようになっている。これにより、流路５７の開始端側５６ａの深さが浅く、流路５７の終了端側５６ｂの深さが深い流路５７が構成されるようになっている。
【００４０】
また、図２に示すごとく、蓋板５２の上面５２ａにおいて、流路面構成部５４との間には、内側境界線５５ａ、及び、外側境界線５５ｂが形成される。内側境界線５５ａは、切込み部５３において、蓋板５２の中心に近い側の端部から周方向に伸びる。また、外側境界線５５ｂは、切込み部５３において、蓋板５２の中心から遠い側の端部から、内側境界線５５ａと同じ周方向に伸びる。そして、内側境界線５５ａと外側境界線５５ｂは、切込み部５３と周方向において離れた位置に形成される円弧状の端部境界線５５ｃによって結ばれるようになっている。このようにして、全体として平面視略円弧状の流路５７が形成されるようになっている。なお、平面視略円弧状とは、蓋板５２の中心側に中心が配置される円弧をなす形状である。
【００４１】
また、図２に示すごとく、端部境界線５５ｃとの接続部における内側境界線５５ａと外側境界線５５ｂとの距離Ｗ１は、切込み部５３における内側境界線５５ａと外側境界線５５ｂとの距離Ｗ２よりも短く構成されている。これにより、平面視円弧状の流路５７は、その端部境界線５５ｃに近い側となる開始部の幅（距離Ｗ１）が狭く、その切込み部５３（開口５０）に近い側となる終端部の幅（距離Ｗ２）が広く構成されるようになっている。換言すれば、流路５７の開始端側５６ａの幅（距離Ｗ１）が狭く、流路５７の終了端側５６ｂの幅（距離Ｗ２）が広い流路５７が構成されることとなっている。
【００４２】
また、図２及び図３に示すごとく、外側境界線５５ｂは、流路５７の開始端側５６ａでの蓋板５２の中心５Ｃからの距離Ｒ１が、流路５７の終了端側５６ｂでの距離Ｒ２よりも、小さくなるように構成される。これにより、図３に示すごとく、流路５７の終了端側５６ｂの底部５３ｄは、開始端側５６ａでの底部５５ｄと比較して、蓋板５２の中心５Ｃから遠い位置に配置されるようになる。
そして、これによって、流路５７の開始端側５６ａ（端部境界線５５ｃに近い側）に流入した水は、流路５７を流れるに従って、蓋板５２の中心５Ｃから離れるように流路５７の終了端側５６ｂへと案内される。そして、これにより、開口５０において蓋板５２の中心５Ｃから遠い側に流入する水の量を多く確保することができる。
【００４３】
以上のように、図２及び図３に示す排水口蓋５の構成は、
蓋板５２と、
蓋板５２で仕切る上下空間を連通させる開口５０と、
前記開口５０に連続的に通じる略円弧状の流路５７と、
を有する排水口蓋５であって、
前記開口５０は、その上下方向の縦幅ｈが、半径方向中心から半径方向外側に向かうに従って拡大され、蓋板５２の半径寸法Ｒの中心点Ｒｃよりも半径方向外側において最大縦幅Ｈを構成することとするものである。
【００４４】
そして、以上の構成により、図４に示すごとく、排水口蓋５に形成される各流路５７において、各開口５０に向かって周方向に水を流すことが可能となり、開口５０へ案内される水について、渦流５Ｕを確実に発生させることが可能となる。そして、開口５０から流入された水については、カゴ４の表面上においても、周方向に回転するように渦流４Ｕを発生させることになるため、カゴ４の底の中心４Ｃにゴミを集まりやすくすることができる。
【００４５】
また、特に、図３に示すごとく、開口５０において蓋板５２の中心５Ｃから遠い側に流入する水の量が多く確保されるため、図４に示すごとく、排水口蓋５の上を流れる水によって形成される渦流５Ｕ、及び、カゴ４の表面を流れる水によって形成される渦流４Ｕについて、その渦半径（中心４Ｃ、５Ｃからの距離）を大きく確保することができる。このように渦半径を大きく確保することによれば、より多くの水について周方向の流れを発生させることが可能となり、この周方向の流れによって、蓋板５２やカゴ４の表面に付着する細菌やヌメリを剥離させて除去することや、カゴ４において、より確実にゴミを中心に集めることが可能となる。また、カゴ４に一度堆積したゴミについても、水が流入するたびに渦流によって回転などされてカゴ４の表面から剥離されることから、カゴ４への強固な付着が防止されることになり、ゴミ捨て時においては、容易にゴミをカゴ４から落下させることができることとなる。
【００４６】
さらに、図２及び図３に示すごとく、
前記流路５７は、流路５７の終了端側５６ｂの幅（距離Ｗ２）が、流路５７の開始端側５６ａの幅（距離Ｗ１）よりも広く構成されることで、開始端側５６ａ側から流入した水について、流路５７を通過するに従って流路５７の幅方向に広がるように流すことが可能となり、これにより、渦流５Ｕをより効果的に発生させることが可能となる。これは、図５（ｂ）に示すごとく、仮に、開始端側１５６ａと終了端側１５６ｂの幅が略同一であるとすると、流路１５７の開始端側１５６ａに流れ方向Ｆにて流入した水は、その流れ方向Ｆを維持したまま、終了端側１５６ｂへと案内されることになるが、本実施形態の構成によれば、図５（ａ）に示すごとく、流路５７の開始端側５６ａに流れ方向Ｆにて流入した水は、流路５７の幅が次第に広くなるので、流れ方向Ｆが流れ方向Ｆ１のように変更される。そして、この流れ方向Ｆ１は、蓋板５２の中心５Ｃから離れる方向のベクトル要素Ｆ２を有することになるため、図４に示す渦流４Ｕ・５Ｕの渦半径を大きくするように作用させることができる。このようにして、渦半径をより確実に大きく確保できるようになる。
【００４７】
また、図２及び図３に示すごとく、
前記流路５７は、流路５７の終了端側５６ｂの深さが、開始端側５６ａの深さよりも深く構成されることで、開始端側５６ａ側から流入した水について、流路５７を通過するに従って流れの勢いをつけることが可能となり、これにより、渦流５Ｕをより効果的に発生させることが可能となる。
【００４８】
また、図２及び図３に示すごとく、
前記流路５７は、流路５７の終了端側５６ｂの底部５３ｄは、開始端側５６ａでの底部５５ｄと比較して、蓋板５２の中心５Ｃから遠い位置に配置されることで、開始端側５６ａ側から流入した水について、流路５７を通過するに従って蓋板５２の中心５Ｃから遠い位置へと導くように流すことが可能となり、これにより、渦流５Ｕをより効果的に発生させることが可能となる。
【００４９】
なお、以上に説明した排水口蓋５については平面視円形の蓋板５２を有する構成としたが、方形（正方形、又は、長方形など）や楕円形などの蓋板を有する構成としてもよい。この場合、図３に示す最大縦幅Ｈは、蓋板の中心５Ｃから外縁部（縦壁部５１が形成される部位）までの中心点よりも外縁部側（外周部に近い側に）おいて構成されることになる。
【００５０】
次に、図１及び図６に示されるカゴ４の構成について説明する。
図６に示すごとく、カゴ４は、略円錐形状に構成されるカゴ部材４１の周状の縁部を、板状の縁部材４２によって包囲してなる構成としており、カゴ部材４１の円錐の頂部４４が下側に配置されるようにして設置されるものである。また、カゴ部材４１においては、その表面に多数の孔４６が貫通して設けられことでメッシュを構成するものであり、この多数の孔４６から水を通過させるとともに、メッシュ面でゴミを補足することとしている。
【００５１】
また、図６に示すごとく、カゴ部材４１においては、断面視において、円弧状をなす頂部４４と、この頂部４４から斜め上方に向かう略直線の傾斜面４５を有する構成としている。この傾斜面４５は、角度θの勾配を形成し、カゴ部材４１の上部から下部に亘る広い範囲に形成されるものである。また、角度θについては、図６の実施形態では、略４５度の角度に設定されるが、カゴ部材４１の半径や深さに応じて適宜設計されるものであり、特に限定されるものではない。
【００５２】
また、図６に示すごとく、頂部４４については、カゴ部材４１の下部における狭い範囲に形成されるものであり、例えば、板状のパンチングメタルをプレス成形してカゴ部材４１を成形する場合には、亀裂が発生しない範囲で小さく構成することが好適である。また、この頂部４４は、略円錐形状に形成されるカゴ部材４１の中心４Ｃ（軸中心）に対応する位置に配置されることになる。なお、略円錐形状とは、頂部４４が円錐の頂点の位置に配置され、傾斜面４５が円錐の側面を構成するということである。尚、円錐先端部を構成する頂部４４の尖端の形状については、清掃性を考慮し、鋭角よりも丸みを帯びた形状とするのが好ましい。
【００５３】
また、図６及び図７（ａ）（ｂ）に示すごとく、カゴ部材４１の周状端部４７は、板状の縁部材４２にて被覆されるようになっている。この縁部材４２は、カゴ部材４１を補強する補強部材として、また、カゴ部材４１の周状端部４７の端部をカバーすることで手を傷つけないための保護部材として機能するものである。このように、カゴ４の周状端部４ａは、略逆円錐形状のカゴ部材４１の周状端部４７を、縁部材４２にて被覆することで構成される。
【００５４】
また、図７（ａ）に示すごとく、カゴ部材４１の周状端部４７は、プレス成形等によって形成される段付部４８を介して、傾斜面４５よりも外側へずらして配置されるようになっている。そして、略Ｕ字状に折り曲げた縁部材４２の隙間４２ａの間に、周状端部４７を差し込むようにして、縁部材４２をカゴ部材４１に取り付け、その後、縁部材４２にて周状端部４７を挟み込むようにかしめることで、図７（ｂ）に示すごとく、縁部材４２がカゴ部材４１に対して固定される。
【００５５】
また、図７（ｂ）に示すごとく、縁部材４２がカゴ部材４１に固定された状態においては、縁部材４２の内側面４２ｂ（カゴ部材４１の中心４Ｃ（図６参照）側の面）の勾配は、カゴ部材４１の傾斜面４５の勾配と略同一であって、傾斜面４５と一連の連続的な傾斜面４１Ａが構成されるようになっている。また、この一連の連続的な傾斜面４１Ａは、カゴ部材４１の周状端部４７を、カゴ部材４１の傾斜面４５よりも外側へずらすことで構成することができる。このように構成することで、カゴ部材４１の傾斜面４５と縁部材４２の内側面４２ｂの境界部４２ｄにおいて、段差が殆ど無い一連の傾斜面４１Ａが構成されるため、図９（ｂ）に示すごとく、ゴミ６１を捨てる際にカゴ４を裏返した際においても、カゴ部材４１と縁部材４２の境界部４２ｄにゴミ６１が挟まって残ってしまうことや、この境界部４２ｄにおいて目詰まりが発生することを防止できる。
【００５６】
また、図７（ｂ）及び図８に示すごとく、縁部材４２の外側面４２ｃは、内側面４２ｂと略同一の勾配を形成することとしている。また、排水口本体２の内装容器部２４の内側には、外側面４２ｃと略平行な傾斜載置面２５が形成されるようになっている。そして、この傾斜載置面２５に、縁部材４２の外側面４２ｃが載置されるようにして、カゴ４が排水口本体２内に配置されるようになっている。
【００５７】
また、図８に示すごとく、縁部材４２の内側面４２ｂは勾配を有するため、内側面４２ｂに付着する水やゴミは斜め下方に向かって流れ落ちることになり、細菌の繁殖が抑制され、ヌメリの発生を防止することができる。また、縁部材４２の外側面４２ｃと傾斜載置面２５は、圧着された状態となるため、外側面４２ｃと傾斜載置面２５の間に水やゴミが浸入し難くなるとともに、仮に、浸入したとしても、下方に向かって流れ落ちることになるため、細菌の繁殖が抑制され、ヌメリの発生を防止することができる。また、内装容器部２４について、カゴ４を載置する部位を傾斜載置面２５にて構成することで、この部位を複数の段付にて構成する場合と比較して、隅部の角度が広くなり、また、傾斜によって水やゴミを流れ落とすことが可能となって、細菌の繁殖が抑制され、ヌメリの発生を防止することができる。
【００５８】
また、図７（ａ）（ｂ）に示すごとく、縁部材４２によって、カゴ部材４１の周状端部４７を両側から挟み込むことで、周状端部４７に形成される孔４６を両側から塞ぐことができる。仮に、孔４６の片側のみを塞ぐこととすると、孔４６に水が通過しなくなって、ゴミが孔４６内に留まってしまうことになる。この点、本実施形態によれば、開口される孔４６については、全て水を通過させることができ、カゴ部材４１の周状端部４７においては、孔４６を両側から塞ぐことができることになり、全ての孔４６について、ゴミの詰りを防止することが可能となる。
【００５９】
また、図６に示すごとく、パンチングメタルによりカゴ部材４１を円錐状に成形する場合には、パンチングメタルを屈曲成形する際に、パンチングメタルの孔が縮小される面積を小さく抑えることができる。これにより、パンチングメタルの孔を成形前の状態に維持することが可能となり、水の流れを良好にすることができる。例えば、図１２（ａ）に示されるような、従来の有底筒状に構成されるカゴ１００の場合には、底部分と壁部分が交わる屈曲部において略９０度に屈曲成形され、また、その範囲が底部分の全周に亘って形成されるため、屈曲部における孔が縮小される、つまりは、孔がつぶれてしまうことになるが、本実施形態によれば、図６に示すごとく、頂部４４における屈曲角度も小さく、また、頂部４４を形成する部位の面積が小さく抑えられるため、パンチングメタルの孔の形状を、成形前と略同一の形状に維持することができる。
【００６０】
また、図８に示すごとく、カゴ４において、縁部材４２に把持部４３が設けられている。この把持部４３は縁部材４２から上方に向けて突設されており、これにより、カゴ４に多くのゴミが溜まっても、ゴミが指に触れ難いようになっている。また、把持部４３を上下方向の板状の部材にて構成することで、その表面に水やゴミが溜まり難く、把持部を水平方向に板状に構成するものと比較して、細菌の繁殖が抑制され、ヌメリの発生を防止することができる。
【００６１】
また、図８に示すごとく、本実施形態においては、排水口蓋５において、蓋板５２の縁部から下方に円環状の縦壁部５１を突設させるとともに、この縦壁部５１の内側（排水口蓋５の中心側）に円環状の内縦壁部５８が下方に突設されることとしている。そして、これにより、縦壁部５１、内縦壁部５８、及び、蓋板５２によって囲まれて、下方が開放される収容空間５９が形成され、この収容空間５９内に、把持部４３の上部４３ａが配置されるようになっている。この上部４３ａは、主に指で摘まれる部位である。
【００６２】
また、図８に示すごとく、カゴ４の排水口本体２に対する引っ掛かりをより良くし、安定して設置させるために、カゴ４の周状端部４７の全周、若しくは、少なくとも三箇所以上に、突起部２５ａを設けることとしてもよい。
【００６３】
また、図８に示すように、把持部４３の上部４３ａを収容空間５９内に収容させることにより、把持部４３の上部４３ａに水やゴミが付着することが防止できるため、細菌の繁殖が抑制され、ヌメリの発生を防止することができる。また、排水口本体２に水が溜まり、水位が上昇したとしても、収容空間５９内に空気が閉じ込められる状態となるため、収容空間５９内への水やゴミの浸入が防止される。これにより、把持部４３の上部４３ａに水やゴミが付着することが防止される。
【００６４】
そして、以上のようにカゴ４を構成することで、図４に示すごとく、カゴ４の表面上に渦流４Ｕが発生しやすくなることになる。この渦流４Ｕの発生については、特に、図６に示すごとく、カゴ部材４１を略円錐状とすることが効果的となる。そして、渦流によってカゴ４の表面に付着する細菌やヌメリを剥離させて除去することや、カゴ４において、より確実にゴミを中心に集めることが可能となる。
【００６５】
また、図６に示すごとく、カゴ部材４１において略直線の傾斜面４５が広い範囲に構成されるため、仮に、この傾斜面４５を湾曲面（円弧面）で構成するもの（たとえば、図１２（ｂ）に示される構成）と比較して、表面積を小さくすることが可能となり、カゴ部材４１においてゴミが堆積する表面積を削減することができる。
【００６６】
また、図６に示すような渦流４Ｕの発生により、図９（ａ）に示すごとく、ゴミ６１がカゴ部材４１の中心４Ｃの頂部４４に集まることになる。これにより、図９（ｂ）に示すごとく、ゴミ６１を捨てる際においては、カゴ４を裏返した際には、中心４Ｃに集められたゴミ６１が略垂直方向に落下するため、カゴ４から落下するゴミ６１が指７１に付着することがない。これは、前記カゴ４の周状端部４ａに、上方へ突出する把手部４３が配置されるとともに、指７１で摘まれる把持部４３から遠い位置となるカゴ４の中心（頂部４４）にゴミ６１が集まっているためである。また、このようにカゴ４を裏返す際に指７１にゴミ６１が付着することが無いため、把持部４３を持ち替える必要もない。
【００６７】
また、図９（ａ）に示すごとく、ゴミ６１がカゴ部材４１の中心４Ｃの頂部４４に集まることになることで、カゴ４とゴミ６１が直接接する面積を小さくすることができる。これにより、カゴ４の表面（傾斜面４５）にゴミ６１が付着しにくくなり、カゴ４の表面（傾斜面４５）にゴミ６１が付着したまま残ってしまうことを防止することができる。
【００６８】
また、図８に示す構成によれば、把持部４３に水やゴミが付着せず、把持部４３におけるヌメリの発生が防止されることになるため、把持部４３を摘む際において、ヌメリによって不快感を与えてしまうこともない。
【００６９】
また、図１０に示すごとく、カゴ４に設けられる把持部４３Ａを、カゴ部材４１の傾斜面４５の傾斜方向４５Ｒに長い幅Ｗ８を有する板状の部材にて構成してもよい。これにより、傾斜方向４５Ｒの水の流れによって、把持部４３Ａの表面に付着した細菌やヌメリを洗い流すことが可能となる。また、図の例では一箇所にのみ把持部４３Ａを設ける構成としたが、複数箇所に把持部４３Ａを設けることとすることや、上述した図４に示されるような周方向に長い幅Ｗ９を有する把持部４３と、図１０に示す把持部４３Ａの両方を、周方向に位置をずらして配置することとしてもよい。また、把持部の表面に凹凸をつけるなどして、水に濡れた際にも滑り難く、かつ、掴みやすい構成としてもよい。
【００７０】
また、図１１に示すごとく、排水口本体２の内装容器部２４の底部２４ａには、流出口２１が開口されており、この流出口２１を上から塞ぐように根菜キャッチャー３が設置される。この根菜キャッチャー３は、円環３１内に複数のフィン３２・３２を放射状に配置され、各フィン３２・３２の間に開口３３・３３が形成される円盤状の部材であり、各フィン３２・３２の間の開口３３・３３から水を流出させるとともに、大きなゴミを各フィン３２・３２にて捕捉するためのものである。
【００７１】
そして、図１１に示すごとく、根菜キャッチャー３における各フィン３２・３２は、板状部材を斜めに傾斜させつつ放射状に配置されて、いわゆるプロペラの羽の配置と同様に設置される。これにより、水が各フィン３２・３２の間の開口３３・３３に対して斜め上から斜め下方向に流入する渦流３Ｕが発生することになる。図１１の例では、図４に示す排水口蓋５に生じる渦流５Ｕ、カゴ４に生じる渦流４Ｕと同様に、反時計回り方向に渦流３Ｕ（図１１）を発生させるために、各フィン３２・３２の傾斜が設定される。
【００７２】
そして、図４及び図１１に示すごとく、根菜キャッチャー３において渦流３Ｕを発生させることにより、カゴ４に生じる渦流４Ｕ、及び、排水口蓋５に生じる渦流５Ｕをより確実に発生させることが可能となり、蓋板５２やカゴ４の表面に付着する細菌やヌメリを剥離させて除去することや、カゴ４において、より確実にゴミを中心に集めることが可能となる。
【００７３】
また、図１１に示すごとく、排水口本体２の内壁２７に、渦流２Ｕを発生させるための突起部２６・２６を設けることとしてもよい。図の例では、内装容器部２４の内壁２７に、板状の部材からなる突起部２６・２６を周方向に間隔を開けて配置することとしている。そして、この突起部２６・２６により、根菜キャッチャー３により生じる渦流３Ｕと同じ方向に流れる渦流２Ｕを発生させることとするものである。
【００７４】
このように、排水口本体２の内壁２７において渦流２Ｕを発生させることで、カゴ４に生じる渦流４Ｕ、及び、排水口蓋５に生じる渦流５Ｕをより確実に発生させることが可能となり、蓋板５２やカゴ４の表面に付着する細菌やヌメリを剥離させて除去することや、カゴ４において、より確実にゴミを中心に集めることが可能となる。なお、このような突起部２６・２６を、図６に示すカゴ４のカゴ部材４１の内側に設けることや、カゴ部材４１の傾斜面４５にらせん状の絞りを施すことにより、カゴ４において渦流を発生させやすくすることとしてもよい。
【産業上の利用可能性】
【００７５】
本発明は、キッチンのシンクなどの底部に配置される排水口について広く適用可能であり、また、上記で説明した排水口蓋、カゴ、根菜キャッチャー、排水口本体の構造は、それぞれ単独で適用可能であるとともに、組合せて利用することにより優れた効果を発揮させることができる。
【図面の簡単な説明】
【００７６】
【図１】本発明の一実施形態に係る排水口の構造について示す図。
【図２】排水口蓋の構造について示す斜視図。
【図３】図２のＡ−Ａ線断面図。
【図４】排水口蓋及びカゴに生じる渦流について説明する図。
【図５】（ａ）は、本発明の一実施形態にかかる流路による水の流れについて説明する図。（ｂ）は、本発明の一実施形態と比較として、他の流路の構成における水の流れについて説明する図。
【図６】カゴの構造について示す側面断面図。
【図７】（ａ）は、カゴ部材の端部に板状の縁部材を取り付ける構成について示す図。（ｂ）は、縁部材を取り付けたカゴ部材の端部の構成について示す図。
【図８】カゴ部材の端部の納まりについて説明する図。
【図９】（ａ）は、カゴの中央にゴミが集まった状態について説明する図。（ｂ）は、カゴからゴミを落下させる状態について示す図。
【図１０】他の形態の把持部を備えた構成のカゴについて示す図。
【図１１】渦流を発生させる根菜キャッチャーの構造等について説明する図。
【図１２】（ａ）は、従来のカゴの構造について示す図。（ｂ）は、従来のボール形状のカゴについて示す図。（ｃ）は、ゴミを捨てる際に指にゴミがかかる不具合について説明する図。（ｄ）は、指で持ち替える状態について示す図。
【符号の説明】
【００７７】
１    排水口の構造
２    排水口本体
３    根菜キャッチャー
４    カゴ
５    排水口蓋
４１    カゴ部材
４２    縁部材
４３    把持部
５０    開口
５７    流路
６１    ゴミ
【図１】
2010037823.tif 000003
【図２】
2010037823.tif 000004
【図３】
2010037823.tif 000005
【図４】
2010037823.tif 000006
【図５】
2010037823.tif 000007
【図６】
2010037823.tif 000008
【図７】
2010037823.tif 000009
【図８】
2010037823.tif 000010
【図９】
2010037823.tif 000011
【図１０】
2010037823.tif 000012
【図１１】
2010037823.tif 000013
【図１２】
2010037823.tif 000014